(57)【要約】【課題】ネジ軸に嵌合子を圧縮バネにて押圧する構造に於いて、圧縮バネの挿入作業性が良い構成を提供する。【解決手段】ディスク記録又は再生装置は、ディスク７を回転させるターンテーブル３と、該ターンテーブル３に接近離間可能に移動自在に設けられディスク７の信号面にレーザー光を発射するピックアップ２と、モータＭにより回転されるネジ軸１７とを具えている。ピックアップ２にはネジ軸１７に嵌まる嵌合子８６を一端部に有するブラケット８が取り付けられ、ブラケット８内には嵌合子８６をネジ軸１７に向けて押圧する圧縮バネ９が挿入される。ブラケット８は上面が開口８ａし、ブラケット８内には、開口８ａから挿入された圧縮バネ９の端部が嵌まる突起８３、８５が設けられている。第２突起８５には、第１突起８３に一端部が嵌められた圧縮バネ９の他端部がブラケット８内へ挿入されるのを案内する斜面８７が設けられている。【選択図】    図６
2005063493.tif 000002
【特許請求の範囲】
【請求項１】
シャーシ（１）上にディスク（７）を回転させるターンテーブル（３）と、該ターンテーブル（３）に接近離間可能に移動自在に設けられディスク（７）の信号面にレーザー光を発射するピックアップ（２）と、モータ（Ｍ）により回転されるネジ軸（１７）とを具え、ピックアップ（２）にはネジ軸（１７）に嵌まる嵌合子（８６）を一端部に有するブラケット（８）が取り付けられ、ブラケット（８）内には嵌合子（８６）をネジ軸（１７）に向けて押圧する圧縮バネ（９）が挿入されるディスク記録又は再生装置に於いて、
ブラケット（８）は上面又は下面が開口（８ａ）し、ブラケット（８）内には、開口（８ａ）から挿入された圧縮バネ（９）の端部が嵌まる突起（８３）（８５）が設けられ、少なくとも一方の突起（８５）には、他方の突起（８３）に一端部が嵌められた圧縮バネ（９）の他端部がブラケット（８）内へ挿入されるのを案内する斜面（８７）が設けられていることを特徴とするディスク記録又は再生装置。
【請求項２】
ブラケット（８）内にて圧縮バネ（９）の側方には壁片（８８）（８８）が設けられ、該壁片（８８）のバネ挿入側の端部には、切欠き（８９）が形成された請求項１に記載のディスク記録又は再生装置。
【請求項３】
ピックアップ（２）は、ガイド軸（４）（４０）により移動を案内され、シャーシ（１）上にはガイド軸（４）（４０）の傾きを調整する機構が設けられた請求項１又は２に記載のディスク記録又は再生装置。
【請求項４】
モータ（Ｍ）により回転されるネジ軸（１７）と、該ネジ軸（１７）に嵌まる嵌合子（８６）を一端部に有する被駆動部材とを具え、被駆動部材内には嵌合子（８６）をネジ軸（１７）に向けて押圧する圧縮バネ（９）が挿入される構造に於いて、被駆動部材は上面又は下面が開口（８ａ）し、被駆動部材内には、開口（８ａ）から挿入された圧縮バネ（９）の端部が嵌まる突起（８３）（８５）が設けられ、少なくとも一方の突起（８５）には、他方の突起（８３）に一端部が嵌められた圧縮バネ（９）の他端部がブラケット（８）内へ挿入されるのを案内する斜面（８７）が設けられていることを特徴とする構造。
【発明の詳細な説明】
【０００１】
【発明の属する技術分野】
本発明は、ピックアップをターンテーブルに対し接近離間可能に設けたディスク記録又は再生装置、及びネジ軸に被駆動部材を嵌合させる構造に関する。
【０００２】
【従来の技術】
図７は、一般的なディスク記録又は再生装置の裏面図である（例えば、特許文献１参照）。周知の如く、シャーシ（１）上には、ディスク（７）を回転させるターンテーブル（３）、該ターンテーブル（３）に接近離間可能に設けられたピックアップ（２）が設けられている。ピックアップ（２）からディスク（７）の信号面にレーザー光を当てて、反射された信号を再びピックアップ（２）で読みとって信号を再生する。
シャーシ（１）上には、ネジ軸（１７）にギア列（１０）を介して連繋したピックアップ駆動モータ（Ｍ）が設けられ、ピックアップ（２）にはネジ軸（１７）に向けてブラケット（８）が取り付けられている。
図８は、ブラケット（８）を拡大した図である。ブラケット（８）には、ネジ軸（１７）に対向した開口（８ａ）が設けられ、該開口（８ａ）から球状の嵌合子（８６）が突出している。嵌合子（８６）はネジ軸（１７）の溝（１８）に嵌まり、ブラケット（８）の内側から圧縮バネ（９）によって該溝（１８）に押圧付勢されている。これにより、嵌合子（８６）は溝（１８）にガタなく嵌まる。
ピックアップ駆動モータ（Ｍ）によって、ネジ軸（１７）が回転すると、嵌合子（８６）は溝（１８）に移動を案内され、嵌合子（８６）に押されて、ブラケット（８）及びピックアップ（２）がターンテーブル（３）に接近離間する向きに移動する。
嵌合子（８６）と溝（１８）との間にガタがあると、ピックアップ（２）が該ガタ分だけ不用意に移動し、誤った箇所の信号を再生する虞れがある。嵌合子（８６）を溝（１８）に押圧してガタなく嵌めることにより、ピックアップ（２）が該ガタ分だけ不用意に移動する虞れを防いでいる。
【０００３】
【特許文献１】
特開平８−３１１１６号公報（図１）
【０００４】
【発明が解決しようとする課題】
図８に示すブラケット（８）に圧縮バネ（９）を挿入する際には、予め開口（８ａ）に嵌合子（８６）を嵌めて、圧縮バネ（９）を指で稍縮めて、ブラケット（８）の内側に圧縮バネ（９）を挿入する。
バネ定数を低くして、圧縮バネ（９）の押圧力のバラ付きを防ぐには、図９（ａ）に示す圧縮バネ（９）の自然長Ｌと巻き径Ｄの比Ｌ／Ｄを３以上にすることが、一般に必要とされる。しかし、巻き径Ｄに比して自然長Ｌが長い圧縮バネ（９）を指で縮めると、図９（ｂ）に示すように、長手方向に対して傾いて押さえた場合に、圧縮バネ（９）が側方に撓むことがある。これでは、ブラケット（８）の内側に圧縮バネ（９）を挿入し難い。
本発明の目的は、ネジ軸（１７）に嵌合子（８６）を圧縮バネ（９）にて押圧する構造に於いて、圧縮バネ（９）の挿入作業性が良い構成を提供することにある。
【０００５】
【課題を解決する為の手段】
ディスク記録又は再生装置は、シャーシ（１）上にディスク（７）を回転させるターンテーブル（３）と、該ターンテーブル（３）に接近離間可能に移動自在に設けられディスク（７）の信号面にレーザー光を発射するピックアップ（２）と、モータ（Ｍ）により回転されるネジ軸（１７）とを具えている。ピックアップ（２）にはネジ軸（１７）に嵌まる嵌合子（８６）を一端部に有するブラケット（８）が取り付けられ、ブラケット（８）内には嵌合子（８６）をネジ軸（１７）に向けて押圧する圧縮バネ（９）が挿入される。
ブラケット（８）は上面又は下面が開口（８ａ）し、ブラケット（８）内には、開口（８ａ）から挿入された圧縮バネ（９）の端部が嵌まる突起（８３）（８５）が設けられ、少なくとも一方の突起（８５）には、他方の突起（８３）に一端部が嵌められた圧縮バネ（９）の他端部がブラケット（８）内へ挿入されるのを案内する斜面（８７）が設けられている。
また、ブラケット（８）内にて圧縮バネ（９）の側方には壁片（８８）（８８）が設けられ、該壁片（８８）のバネ挿入側の端部には、切欠き（８９）が形成されている。
【０００６】
【作用及び効果】
ブラケット（８）内に圧縮バネ（９）を挿入する際には、先ず圧縮バネ（９）の一端部を開口（８ａ）を通って突起（８３）に嵌める。次に、圧縮バネ（９）の他端部を斜面（８７）に載せ、そのまま押し込む。圧縮バネ（９）は斜面（８７）に沿って圧縮されつつ、押し込まれる。仮に、圧縮バネ（９）が側方に撓まんとしても、壁片（８８）（８８）により、撓みは規制される。圧縮バネ（９）の他端部が斜面（８７）を通過すると、圧縮バネ（９）が弾性力により戻り、圧縮バネ（９）の他端部が突起（８５）に嵌まる。
従って、本発明にあっては、圧縮バネ（９）の両端部を指で圧縮することなく、ブラケット（８）内に挿入でき、また仮に圧縮バネ（９）が側方に撓まんとしても、壁片（８８）（８８）により撓みが規制されるので、圧縮バネ（９）のブラケット（８）への挿入作業性が良くなる。
【０００７】
【発明の実施の形態】
以下、本発明の一例を図を用いて詳述する。
図１は、本例に係わるディスク記録又は再生装置の平面図であり、図２は、図１の正面図である。図２にあっては、ターンテーブル（３）の図示を省く。従来と同様に、シャーシ（１）上には、ディスク（７）を回転させるターンテーブル（３）、該ターンテーブル（３）に接近離間可能に設けられたピックアップ（２）が設けられている。シャーシ（１）上には、ピックアップ（２）が嵌まる大開口（１１）が開設され、ピックアップ（２）は、該大開口（１１）に跨ったガイド軸（４）（４０）に沿って移動する。ピックアップ（２）は一方のガイド溝（４）にガタが少ない状態で嵌まるベアリング（２０）と、他方のガイド軸（４０）にガタが大きな状態で嵌まる嵌め片（２１）を具え、以下の記載では、ベアリング（２０）に嵌まるガイド軸（４）を主軸、嵌め片（２１）に嵌まるガイド軸（４０）を副軸と呼ぶ。
ベアリング（２０）の下側には、ピックアップ（２）にブラケット（８）が取り付けられている。
【０００８】
主軸であるガイド軸（４）の一端部と副軸であるガイド軸（４０）の両端部は、縦孔（５１）（図２参照）を開設した支持部材（５）に昇降可能に嵌まり、該支持部材（５）は金属板から形成されたシャーシ（１）を折曲して設けられる。支持部材（５）の近傍には、ネジリバネ（６）が設けられ、該ネジリバネ（６）の一方の脚片（６０）がガイド軸（４０）を下向きに付勢する。
シャーシ（１）の下側からは調整ネジ（４８）が螺合し、該調整ネジ（４８）の先端がガイド軸（４０）の下端に接する。調整ネジ（４８）を回転させれば、ガイド軸（４０）及びピックアップ（２）を、ディスク（７）の信号面に対して傾き調整できる。
【０００９】
このピックアップ（２）を、傾き調整する理由を、以下に記載する。
図３は、ディスク（７）の裏面図である。ディスク（７）の信号面には、円周方向に沿って複数のピット（７３）（７３）が凹設され、該ピット（７３）にレーザー光を当てたときと、ピット（７３）以外の箇所にレーザー光を当てたときとでは反射光の強さが異なる。これにより、０と１からなるデジタル信号を再生する。
近年信号が高密度記録されたディスク、具体的にはＤＶＤがある。該ディスクでは信号は高密度記録されているから、ディスク半径方向のピット（７３）（７３）の間隔Ｈが狭い。この為、信号を正しく再生するには、レーザー光のビーム径を小さくする必要がある。このビーム径はレーザー光の波長に比例し、ピックアップ（２）内の対物レンズの開口数ＮＡに反比例する関係にある。従って、かかるディスクでは開口数ＮＡをレーザー光の波長の長いＣＤ（ｃｏｍｐａｃｔ  ｄｉｓｃ）と比べ大きく設定している。具体的には、開口数ＮＡはＣＤの０．４５より大きい０．６程度である。この様に、開口数ＮＡを大きく設定すると、ディスク（７）の信号面に対してレーザー光の光軸が僅かに傾いた場合、小径のビーム径では誤った位置のピット（７３）を照射し、信号を正しく再生できない虞れがある。そこで、シャーシ（１）上にピックアップ（２）を嵌めたガイド軸（４）の傾きを調整する機構を設け、装置を製造する工程に於いて、ピックアップ（２）をディスク（７）の信号面に対して傾き調整しているのである。
【００１０】
図４は、図１の装置の裏面図である。シャーシ（１）上には、ネジ軸（１７）に連繋したモータ（Ｍ）が設けられ、前記ブラケット（８）がネジ軸（１７）に接する。図５は、ブラケット（８）の平面図であり、図４とは表裏逆になっている。また、図６（ａ）、（ｂ）は、図５のブラケット（８）をＢ−Ｂ線を含む面にて破断した図である。ブラケット（８）は合成樹脂から形成される。
ブラケット本体（８０）上には、第１縦板（８２）が設けられ、該第１縦板（８２）からは２つの壁片（８８）（８８）、及び壁片（８８）（８８）間に位置する第１突起（８３）が設けられている。両壁片（８８）（８８）の上端部にて、バネ挿入側の端部には、切欠き（８９）が形成されている。
第１縦板（８２）の下端部からは薄肉の連結片（８０ａ）が設けられ、該連結片（８０ａ）の先端から第１縦板（８２）に対向した第２縦板（８４）が上向きに設けられている。第２縦板（８４）からは、ネジ軸（１７）の溝（１８）に嵌まる嵌合子（８６）が外向きに突出し、第２縦板（８４）の内面からは第１突起（８３）に対向した第２突起（８５）が設けられている。
【００１１】
第１突起（８３）と第２突起（８５）との間には、両縦板（８２）（８４）間の上面開口（８ａ）から圧縮バネ（９）が嵌まる。両縦板（８２）（８４）間の間隔は、圧縮バネ（９）の自然長よりも短く、第２縦板（８４）及び嵌合子（８６）は圧縮バネ（９）により外向きに押される。壁片（８８）（８８）の間隔は、圧縮バネ（９）の外径よりも稍広く、圧縮バネ（９）は壁片（８８）（８８）によって側方に撓むことを規制される。連結片（８０ａ）が薄肉であるから、連結片（８０ａ）は圧縮バネ（９）によって撓み、図４に示すように、嵌合子（８６）はネジ軸（１７）の溝（１８）に押圧付勢される。これにより、嵌合子（８６）は溝（１８）にガタなく嵌まり、ピックアップ（２）が該ガタ分だけ不用意に動くことは防止される。
第２突起（８５）の上面には、後記するように、両突起（８３）（８５）間に挿入される圧縮バネ（９）の端部を案内する斜面（８７）が設けられている。該斜面（８７）は内側に向かって下向きに傾いている。
【００１２】
（圧縮バネ挿入時）
以下、圧縮バネ（９）を両突起（８３）（８５）に挿入する際の手順を示す。
図６（ａ）に示すように、先ず両縦板（８２）（８４）間の上面開口（８ａ）から圧縮バネ（９）を斜めに挿入し、第１突起（８３）に一端部を嵌める。前記の如く、壁片（８８）（８８）の間隔は、圧縮バネ（９）の外径よりも稍広く、圧縮バネ（９）は壁片（８８）（８８）によって側方に撓むことを規制される。
次に、圧縮バネ（９）の他端部を指で下向きに押し込む。壁片（８８）に切欠き（８９）が設けられていることにより、指が壁片（８８）に当たって、圧縮バネ（９）が押し込みづらい不具合はない。
圧縮バネ（９）の他端部は、斜面（８７）に接し、そのまま該他端部を押し込むと、該他端部は斜面（８７）によって内側下向きに案内される。圧縮バネ（９）は斜面（８７）に沿って圧縮されつつ、押し込まれる。圧縮バネ（９）の他端部が斜面（８７）を通過すると、圧縮バネ（９）の弾性力により、圧縮バネ（９）の他端部が第２突起（８５）に嵌まる。
【００１３】
本例にあっては、斜面（８７）が圧縮バネ（９）を案内するから、圧縮バネ（９）の両端部を指で圧縮することなく、圧縮バネ（９）をブラケット（８）内に挿入することができる。また仮に圧縮バネ（９）が側方に撓まんとしても、壁片（８８）（８８）により撓みが規制されるので、圧縮バネ（９）のブラケット（８）への挿入作業性が良くなる。
尚、上記記載では、圧縮バネ（９）によって嵌合子（８６）をネジ軸（１７）に付勢する装置として、ディスク記録又は再生装置を例示したが、これには限定されない。例えば、工作機械にてテーブルを正確に移動させる送り機構（図示せず）に本例の構成を用いることも考えられる。
【００１４】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
例えば、切欠き（８９）はテーパ状に形成されているが、円弧状に形成されてもよい。また、両突起（８３）（８５）上に斜面（８７）が形成されてもよい。更に、ブラケット（８）は上面が開口しているとしたが、下面が開口してもよい。
【図面の簡単な説明】
【図１】ディスク記録又は再生装置の平面図である。
【図２】図１の正面図である。
【図３】ディスクの裏面図である。
【図４】図１の装置の裏面図である。
【図５】ブラケットの平面図である。
【図６】（ａ）、（ｂ）は、図５のブラケットをＢ−Ｂ線を含む面にて破断した図である。
【図７】従来のディスク記録又は再生装置の裏面図である。
【図８】ブラケットを拡大した図である。
【図９】（ａ）、（ｂ）は圧縮バネの側面図である。
【符号の説明】
（１）    シャーシ
（２）    ピックアップ
（３）    ターンテーブル
（４）    ガイド軸
（７）    ディスク
（８）    ブラケット
（９）    圧縮バネ
（８３）    第１突起
（８５）    第２突起
（８７）    斜面
【図１】
2005063493.tif 000003
【図２】
2005063493.tif 000004
【図３】
2005063493.tif 000005
【図４】
2005063493.tif 000006
【図５】
2005063493.tif 000007
【図６】
2005063493.tif 000008
【図７】
2005063493.tif 000009
【図８】
2005063493.tif 000010
【図９】
2005063493.tif 000011